(57)【要約】【課題】座りすぎは健康に悪影響があると多くの提唱がある。【解決手段】本発明は椅子などに座っている時間をセンサーで感知し、これをブザーまたは振動によって、知らせる手段により、座り過ぎを防止するものである。【選択図】図１
2020157036.tif 000002
【特許請求の範囲】
【請求項１】
椅子、ソファー、座布団、ボディメークシートの座る部分に取り付け、座っている経過時間を感知するセンサーを取り付けたタイマーと、一定時間を経過するとスイッチが入る音源によって構成した座りすぎ防止タイマー装置
【請求項２】
請求項１の座りすぎ防止タイマー装置について振動装置を構成した座りすぎ防止タイマー装置
【請求項３】
請求項１の座りすぎ防止タイマー装置について、座っている経過時間を知らせる感知するセンサーはフットスイッチで構成した座りすぎ防止タイマー装置
【請求項４】
請求項１の座りすぎ防止タイマー装置について、座っている経過時間を知らせる感知するセンサーはテープスイッチで構成した座りすぎ防止タイマー装置
【請求項５】
請求項１の座りすぎ防止タイマー装置について、座っている経過時間を知らせる感知するセンサーはマットスイッチで構成した座りすぎ防止タイマー装置
【請求項６】
請求項１の座りすぎ防止タイマー装置について、タイマーで測定した座っている時間値の統計値を記憶し、健康管理データとする管理システムを構築した座りすぎ防止タイマー装置
【請求項７】
請求項１の座りすぎ防止タイマー装置について、事務所全体など複数の対象についてタイマーで測定した座っている時間値をラインで管理する管理システムを構築した座りすぎ防止タイマー装置
【発明の詳細な説明】
【技術分野】
【０００１】  本発明は椅子の座りすぎ防止タイマーに関するものである。
【背景技術】
【０００２】近年、椅子の座り過ぎが健康に悪影響を与えるとする多くの提言がある。
シドニー大学などの２０１１年の調査では世界２０ケ国の中で日本は座り時間の長さが第一位（一日約７時間）と発表された。座る時間が一日４時間未満の人たちより１１時間以上の人たちのほうが死亡リスクが４０％も高く、座っている時間が長ければ長いほど死亡リスクが高まるという衝撃的な結果が出たため、オーストラリアは国を挙げて座り過ぎの対策を進めている。
座り過ぎは肥満、糖尿病、脳血管疾患、認知症などに罹患（りかん）するリスクが高まり、寿命が縮まる可能性を指摘する専門家もいる。肥満、糖尿病、脳血管疾患、認知症などに罹患（りかん）するリスクが高まり、寿命が縮まる可能性を指摘する専門家もいる。
この対策として立って机上の仕事ができるスタンディングデスクが家具メーカーのイケアやニトリから提供されている。スタンディングデスクは昇降型も提供されている。また座り過ぎ防止用のタイマーのアプリが提供されている。
【先行技術文献】
【特許文献】
【０００３】
【特許文献１】
【発明の概要】
【発明が解決しようとする課題】
【０００４】スタンディングデスクは座る時間が無くなり、疲れやすい欠点がある。昇降型のスタンディングデスクは座っている時間の管理が曖昧になる。座り過ぎを防止するタイマーのアプリは、座る度にタイマーセットの必要があり、継続利用が出来にくい欠点がある。
【課題を解決するための手段】
【０００５】本発明は前記の課題を解決する手段として、椅子などの座る部分にセンサーを取り付け、座る際、立ち上がる際に自動的に時間測定をする手段により、使い易い座り過ぎ防止タイマーを提供するものである。【０００６】椅子やボディメークシートなどに取り付けるタイマーのスイッチセンサーは、フットスイッチ、テープスイッチ、マットスイッチ等によって構成する。【０００７】  座っている時間を集計して分析し、これを時系列で表示する。【０００８】複数の椅子の座っている時間をラインで管理する。【００１５】
【発明の効果】
【００１６】座る際、立ち上がる際に自動的に座る時間を正確に測定でき、座り過ぎによる健康被害を確実に防ぐ事が出来る。
【図面の簡単な説明】
【００２７】
【図１】は本発明のフットスイッチを使用した一実施例を示す斜視図である。
【図２】は本発明のテープスイッチの構成を示す断面図である。
【図３】は本発明のマットスイッチの構成を示す断面図である。
【図４】は本発明のフットスイッチを椅子に取り付けた状態を示す斜視図である。
【図５】は本発明のフットスイッチをボデイメークシートに取り付けた構成を示す正面図である。
【発明を実施するための形態】
【００２８】  本発明を実施の形態を図によって説明する。
図１は本発明の座り過ぎ防止タイマーのフットスイッチ式座り過ぎ防止タイマー１の一実施例を示す斜視図である。フットスイッチ１−１をシート１−２に取り付けて構成する。シート１−２は弾性を有する緩衝材で構成し、座った際に厚みはフットスイッチ１−１と段差が感じない厚みとする。このフットスイッチ１に配線した制御部１−３を構成する。制御部１−３はタイマー装置、発音装置、振動装置、電源などで構成される。図２は本発明の座り過ぎ防止タイマーのテープスイッチ２の一実施例を示す断面図である。テープスイッチ２はビニール外装２−１、ナイロン繊維２−２、上部絶縁体２−３、上部伝導体（燐青銅）２−４、中間及び下部絶縁体２−５、下部伝導体２−６によって構成される。
図３は本発明の座り過ぎ防止タイマーのマットスイッチ３の一実施例を示す断面図である。マットスイッチ３は、上部ゴム板３−１、スイッチ素子３−２、下部ゴム板３−３によって構成される。
図４は本発明の座り過ぎ防止タイマーの椅子における使用状態を示す斜視図である。椅子Ｃにフットスイッチ１を取り付けて使用する。スイッチはこの他、テープスイッチ２、マットスイッチ３を使用する事が出来る。
図５は本発明の座り過ぎ防止タイマーのボディメークシートにおける使用状態を示す斜視図である。ボディメークシートＢにテープスイッチ２取り付ける構成とする。スイッチはこの他、フットスイッチ、マットスイッチも使用する事が出来る。ボディメークシートＢの背もたれの裏側に制御装置を取り付ける構成とする。小型のフットスイッチ１は大阪自動機株式会社製の多機能型（プッシュ式）、外形１０２ミリ、厚み３０ミリ等が提供されている。この機種は広範囲な用途に使用されている。テープスイッチ２はテープスイッチジャパン株式会社から提供されており、車椅子に乗るとこれを感知する用途など幅広く使用されている。テープスイッチは長さは自由に変えることができるうえ、必要な長さに切断し、リード線を付けて端末処理を行って使用する事が出来る。マットスイッチは大阪自動機株式会社など多くのメーカーから提供されており、大阪自動機株式会社の屋内用薄型マットスイッチは厚みが２．４ミリと薄く、病院の患者がベットから降りて床に触れた際にこれを感知するセンサーなどに使用されている。
【符号の説明】
【００２９】１：フットスイッチ式座り過ぎ防止タイマー
１−１：フットスイッチ
１−２：シート
１−３：制御装置
２：テープスイッチ
２−１：ビニール外装
２−３：ナイロン繊維
２−４：上部絶縁体（燐青銅）
２−５：中間及び下部絶縁体
２−６：電導板（銅メッキ鋼板）
３：マットスイッチ
３−１：上部ゴム板
３−２：スイッチ素子
３−３：下部ゴム板
Ｃ：椅子
Ｂ：ボディメークシート
【図１】
2020157036.tif 000003
【図２】
2020157036.tif 000004
【図３】
2020157036.tif 000005
【図４】
2020157036.tif 000006
【図５】
2020157036.tif 000007